(57)【特許請求の範囲】
【請求項１】
ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略中心軸方向へ移動可能とされたディスク駆動ユニットと、
前記スピンドルモーターを挟んでディスクテーブルの反対側においてディスク駆動ユニットに対向して位置されたベース面部と、
カム溝を有し所定の方向へ移動されて前記ディスク駆動ユニットを前記ディスクテーブルの略中心軸方向へ移動させるカムスライダーとを備え、
前記ディスク駆動ユニットに前記スピンドルモーター及び前記ディスクテーブルを有し前記ベース面部に対向して位置されるモーターユニットを設け、
前記ディスク駆動ユニットに前記カムスライダーのカム溝に摺動自在に係合されるカムピンを設け、
前記ベース面部と前記モーターユニットの互いに対向する一方の位置に吸着用マグネットを配置し他方の位置に前記吸着用マグネットに吸着される磁性体を配置し、
前記スピンドルモーターの内部に配置された駆動用マグネットから外部へ漏れる漏れ磁束を発生させて前記駆動用マグネットを前記吸着用マグネットとして用い、
前記ベース面部に、前記漏れ磁束によって前記駆動用マグネットに吸着される磁性体を配置した
ことを特徴とするディスクドライブ装置。
【請求項２】
ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略中心軸方向へ移動可能とされたディスク駆動ユニットと、
前記スピンドルモーターを挟んでディスクテーブルの反対側においてディスク駆動ユニットに対向して位置されたベース面部と、
カム溝を有し所定の方向へ移動されて前記ディスク駆動ユニットを前記ディスクテーブルの略中心軸方向へ移動させるカムスライダーとを備え、
前記ディスク駆動ユニットに前記スピンドルモーター及び前記ディスクテーブルを有し前記ベース面部に対向して位置されるモーターユニットを設け、
前記ディスク駆動ユニットに前記カムスライダーのカム溝に摺動自在に係合されるカムピンを設け、
前記ベース面部と前記モーターユニットの互いに対向する一方の位置に吸着用マグネットを配置し他方の位置に前記吸着用マグネットに吸着される磁性体を配置し、
前記ベース面部における前記モーターユニットに対向する位置に磁性体を配置し、
前記モーターユニットにおける磁性体に対向する位置に吸着用マグネットを配置し、
前記モーターユニットにおける吸着用マグネットが配置される部分をマグネット配置部として設け、
前記マグネット配置部を磁性材料によって形成し、
前記マグネット配置部にマグネット配置孔を形成し、
前記吸着用マグネットを前記マグネット配置孔に挿入される挿入部と該挿入部の一端部から外方へ張り出されたフランジ部とによって構成し、
前記フランジ部がマグネット配置部を挟んで前記磁性体の反対側に位置される状態で前記吸着用マグネットを前記マグネット配置部に配置するようにした
ことを特徴とするディスクドライブ装置。
【請求項３】
ディスク状記録媒体に対して情報信号の記録若しくは再生又はこれらの双方を行うディスクドライブ装置を備えた電子機器であって、
ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略中心軸方向へ移動可能とされたディスク駆動ユニットと、
前記スピンドルモーターを挟んでディスクテーブルの反対側においてディスク駆動ユニットに対向して位置されたベース面部と、
カム溝を有し所定の方向へ移動されて前記ディスク駆動ユニットを前記ディスクテーブルの略中心軸方向へ移動させるカムスライダーとを備え、
前記ディスク駆動ユニットに前記スピンドルモーター及び前記ディスクテーブルを有し前記ベース面部に対向して位置されるモーターユニットを設け、
前記ディスク駆動ユニットに前記カムスライダーのカム溝に摺動自在に係合されるカムピンを設け、
前記ベース面部と前記モーターユニットの互いに対向する一方の位置に吸着用マグネットを配置し他方の位置に前記吸着用マグネットに吸着される磁性体を配置し、
前記スピンドルモーターの内部に配置された駆動用マグネットから外部へ漏れる漏れ磁束を発生させて前記駆動用マグネットを前記吸着用マグネットとして用い、
前記ベース面部に、前記漏れ磁束によって前記駆動用マグネットに吸着される磁性体を配置した
ことを特徴とする電子機器。
【請求項４】
ディスク状記録媒体に対して情報信号の記録若しくは再生又はこれらの双方を行うディスクドライブ装置を備えた電子機器であって、
ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略中心軸方向へ移動可能とされたディスク駆動ユニットと、
前記スピンドルモーターを挟んでディスクテーブルの反対側においてディスク駆動ユニットに対向して位置されたベース面部と、
カム溝を有し所定の方向へ移動されて前記ディスク駆動ユニットを前記ディスクテーブルの略中心軸方向へ移動させるカムスライダーとを備え、
前記ディスク駆動ユニットに前記スピンドルモーター及び前記ディスクテーブルを有し前記ベース面部に対向して位置されるモーターユニットを設け、
前記ディスク駆動ユニットに前記カムスライダーのカム溝に摺動自在に係合されるカムピンを設け、
前記ベース面部と前記モーターユニットの互いに対向する一方の位置に吸着用マグネットを配置し他方の位置に前記吸着用マグネットに吸着される磁性体を配置し、
前記ベース面部における前記モーターユニットに対向する位置に磁性体を配置し、
前記モーターユニットにおける磁性体に対向する位置に吸着用マグネットを配置し、
前記モーターユニットにおける吸着用マグネットが配置される部分をマグネット配置部として設け、
前記マグネット配置部を磁性材料によって形成し、
前記マグネット配置部にマグネット配置孔を形成し、
前記吸着用マグネットを前記マグネット配置孔に挿入される挿入部と該挿入部の一端部から外方へ張り出されたフランジ部とによって構成し、
前記フランジ部がマグネット配置部を挟んで前記磁性体の反対側に位置される状態で前記吸着用マグネットを前記マグネット配置部に配置するようにした
ことを特徴とする電子機器。
【発明の詳細な説明】
【技術分野】
【０００１】
本発明はディスクドライブ装置及び電子機器についての技術分野に関する。詳しくは、ディスクテーブルをディスク状記録媒体から離隔する方向へ付勢する吸着用マグネットを設けてディスク状記録媒体に対するチャッキング動作の適正化等を防止する技術分野に関する。
【背景技術】
【０００２】
ディスク状記録媒体に対して情報信号の記録若しくは再生又はこれらの双方を行うディスクドライブ装置がある（例えば、特許文献１参照）。
【０００３】
ディスクドライブ装置にあっては、ディスク状記録媒体がディスクテーブルの移動方向と略直交する方向において搬送されるタイプがある。
【０００４】
このようなディスクドライブ装置においては、例えば、ディスク状記録媒体がディスク挿入口から挿入されると、ディスクローディング機構によってディスク状記録媒体がローディングされ、ディスク状記録媒体は中心孔がディスクテーブルのセンターリング突部の真上に位置するセンターリング位置まで搬送される。
【０００５】
ディスクローディング機構は、例えば、カム溝を有し所定の方向へ移動されるカムスライダーと該カムスライダーのカム溝に摺動自在に係合されるカムピンとを備えている。カムピンはディスクテーブルや光ピックアップを有するディスク駆動ユニットに設けられている。
【０００６】
このようなディスクローディング機構において、カムスライダーが移動されると、カムピンのカム溝における位置が変化されてディスク駆動ユニットがセンターリング位置にあるディスク状記録媒体の記録面に離接する方向へ移動される。
【０００７】
上記したように、ディスク状記録媒体がセンターリング位置まで搬送されると、続いて、カムスライダーが移動されてディスク駆動ユニットが上昇される。ディスク駆動ユニットが上昇されていくと、ディスクテーブルのセンターリング突部の外周部に設けられた係合爪がディスク状記録媒体の内周縁に接し、該ディスク状記録媒体がディスク駆動ユニットの上昇動作に伴って持ち上げられる。
【０００８】
ディスク状記録媒体は、内周部がその上方に位置するカバー体に設けられた押さえ突部に接触される。ディスク状記録媒体の内周部がカバー体の押さえ突部に接触されると、カバー体はディスク駆動ユニットの上昇動作によって弾性変形されるが、カバー体が所定の量だけ弾性変形されたところでカバー体の反力によってディスク状記録媒体の内周縁がディスクテーブルの係合爪に強く押し付けられて係合爪がディスクテーブルの中心側に撓められ、ディスク状記録媒体の中心孔にディスクテーブルのセンターリング突部が挿入される。
【０００９】
ディスクテーブルのセンターリング突部がディスク状記録媒体の中心孔に挿入されると、撓められていた係合爪が弾性復帰してディスク状記録媒体の内周縁に係合し、ディスク状記録媒体がディスクテーブルに保持されて装着（チャッキング）される。
【００１０】
ディスクテーブルに対するディスク状記録媒体の装着が完了すると、ディスク駆動ユニットは下方へ移動され、ディスク状記録媒体がカバー体から下方に離隔されてカバー体が弾性復帰される。
【００１１】
ディスク状記録媒体は係合爪によってディスクテーブルに保持されており、スピンドルモーターによって回転されるディスクテーブルに伴って回転され、光ピックアップの駆動によりディスク状記録媒体に対する情報信号の記録又は再生が行われる。
【００１２】
【特許文献１】特開２０００−１２３５１６号公報
【発明の開示】
【発明が解決しようとする課題】
【００１３】
ところで、ディスクドライブ装置は、例えば、オーディオ機器、パーソナルコンピューター、テレビの録画用のディスクレコーダー等の各種の電子機器に組み込まれている。このようなディスクドライブ装置は、電子機器の薄型化の要求に伴って薄型化が必要とされる傾向にあり、特に、ノート型のパーソナルコンピューター等の薄型化の要求が高い電子機器に組み込まれるものにあっては、一層の薄型化の必要性が生じている。
【００１４】
このような電子機器には、ディスクドライブ装置のディスクテーブルの回転軸（中心軸）方向が上下方向を向くように配置されるタイプと、ディスクドライブ装置のディスクテーブルの回転軸方向が前後方向又は左右方向を向くように配置される所謂縦置き型のタイプとがある。例えば、ノート型のパーソナルコンピューター等において、表示部の背面側にディスクドライブ装置が配置されているものがあるが、このようなパーソナルコンピューターにおいてはキーボードに対して表示部を開いた状態で、ディスクテーブルの回転軸方向が前後方向を向くため、縦置き型のタイプとなる。
【００１５】
ところが、上記したディスクローディング機構におけるカムスライダーのカム溝とカムピンの間には、ディスクテーブルの回転軸と同じ方向に、カムピンのカム溝に対する円滑な摺動を確保するための一定のクリアランスが存在するため、上記した縦置き型のタイプにあっては、カムピンとカム溝とのクリアランス分、カムピンがカム溝においてディスクテーブルの回転軸方向に変位する可能性がある。
【００１６】
従って、カム溝においてカムピンがディスクテーブルの回転軸方向に変位し、その分、ディスクテーブルがカバー体側に変位してしまうと、ディスク状記録媒体がディスク挿入口から挿入されセンターリング位置まで搬送されるときに、ディスク状記録媒体とディスクテーブルとの間の十分な距離を確保することができず、搬送中のディスク状記録媒体がディスクテーブルに衝突し、ディスク状記録媒体やディスクテーブルの破損や傷付きが生じたり、ディスク状記録媒体のチャッキング動作の適正化が図れなくなるおそれがある。
【００１７】
一方、ディスク状記録媒体のディスクテーブルに対する衝突の防止を図るために、センターリング位置に搬送されるディスク状記録媒体とディスクテーブルの間に予め十分な距離が確保されるような設計を行うことが考えられるが、このような設計を行ってしまうと、ディスク状記録媒体とディスクテーブルの間の距離が大きくなる分、ディスクドライブ装置の薄型化を図ることができなくなってしまう。
【００１８】
そこで、本発明ディスクドライブ装置及び電子機器は、上記した問題点を克服し、ディスク状記録媒体に対するチャッキング動作の適正化を図ると共に薄型化を図ることを課題とする。
【課題を解決するための手段】
【００１９】
ディスクドライブ装置は、上記した課題を解決するために、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略中心軸方向へ移動可能とされたディスク駆動ユニットと、前記スピンドルモーターを挟んでディスクテーブルの反対側においてディスク駆動ユニットに対向して位置されたベース面部と、カム溝を有し所定の方向へ移動されて前記ディスク駆動ユニットを前記ディスクテーブルの略中心軸方向へ移動させるカムスライダーとを備え、前記ディスク駆動ユニットに前記スピンドルモーター及び前記ディスクテーブルを有し前記ベース面部に対向して位置されるモーターユニットを設け、前記ディスク駆動ユニットに前記カムスライダーのカム溝に摺動自在に係合されるカムピンを設け、前記ベース面部と前記モーターユニットの互いに対向する一方の位置に吸着用マグネットを配置し他方の位置に前記吸着用マグネットに吸着される磁性体を配置したものである。
【００２０】
従って、磁性体が吸着用マグネットによって吸着されカムピンがカム溝における開口縁の一方の側に押し付けられる。
【００２１】
さらに、上記ディスクドライブ装置は、前記スピンドルモーターの内部に配置された駆動用マグネットから外部へ漏れる漏れ磁束を発生させて前記駆動用マグネットを前記吸着用マグネットとして用い、前記ベース面部に、前記漏れ磁束によって前記駆動用マグネットに吸着される磁性体を配置したものである。
【００２２】
従って、吸着用マグネットとしてスピンドルモーターの内部に配置された駆動用マグネットを用いることにより、ディスク駆動ユニットをディスク状記録媒体の搬送経路から遠去かる方向へ付勢するための専用のマグネットを必要としない。
【００２３】
あるいは、上記ディスクドライブ装置は、前記ベース面部における前記モーターユニットに対向する位置に磁性体を配置し、前記モーターユニットにおける磁性体に対向する位置に吸着用マグネットを配置し、前記モーターユニットにおける吸着用マグネットが配置される部分をマグネット配置部として設け、前記マグネット配置部を磁性材料によって形成し、前記マグネット配置部にマグネット配置孔を形成し、前記吸着用マグネットを前記マグネット配置孔に挿入される挿入部と該挿入部の一端部から外方へ張り出されたフランジ部とによって構成し、前記フランジ部がマグネット配置部を挟んで前記磁性体の反対側に位置される状態で前記吸着用マグネットを前記マグネット配置部に配置したものである。
【００２４】
従って、吸着用マグネットを上記のように構成してマグネット配置孔に挿入して配置することにより、吸着用マグネットがモーターユニットのマグネット配置部に磁力によって固定されると共に吸着用マグネットが磁性体側に引き寄せられる。
【００２５】
電子機器は、ディスク状記録媒体に対して情報信号の記録若しくは再生又はこれらの双方を行うディスクドライブ装置を備えた電子機器であって、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略中心軸方向へ移動可能とされたディスク駆動ユニットと、前記スピンドルモーターを挟んでディスクテーブルの反対側においてディスク駆動ユニットに対向して位置されたベース面部と、カム溝を有し所定の方向へ移動されて前記ディスク駆動ユニットを前記ディスクテーブルの略中心軸方向へ移動させるカムスライダーとを備え、前記ディスク駆動ユニットに前記スピンドルモーター及び前記ディスクテーブルを有し前記ベース面部に対向して位置されるモーターユニットを設け、前記ディスク駆動ユニットに前記カムスライダーのカム溝に摺動自在に係合されるカムピンを設け、前記ベース面部と前記モーターユニットの互いに対向する一方の位置に吸着用マグネットを配置し他方の位置に前記吸着用マグネットに吸着される磁性体を配置したものである。そして、さらに、前記スピンドルモーターの内部に配置された駆動用マグネットから外部へ漏れる漏れ磁束を発生させて前記駆動用マグネットを前記吸着用マグネットとして用い、前記ベース面部に、前記漏れ磁束によって前記駆動用マグネットに吸着される磁性体を配置したものである。あるいは、前記ベース面部における前記モーターユニットに対向する位置に磁性体を配置し、前記モーターユニットにおける磁性体に対向する位置に吸着用マグネットを配置し、前記モーターユニットにおける吸着用マグネットが配置される部分をマグネット配置部として設け、前記マグネット配置部を磁性材料によって形成し、前記マグネット配置部にマグネット配置孔を形成し、前記吸着用マグネットを前記マグネット配置孔に挿入される挿入部と該挿入部の一端部から外方へ張り出されたフランジ部とによって構成し、前記フランジ部がマグネット配置部を挟んで前記磁性体の反対側に位置される状態で前記吸着用マグネットを前記マグネット配置部に配置したものである。
【００２６】
従って、磁性体が吸着用マグネットによって吸着されカムピンがカム溝における開口縁の一方の側に押し付けられる。
【発明の効果】
【００２７】
本発明ディスクドライブ装置は、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略中心軸方向へ移動可能とされたディスク駆動ユニットと、前記スピンドルモーターを挟んでディスクテーブルの反対側においてディスク駆動ユニットに対向して位置されたベース面部と、カム溝を有し所定の方向へ移動されて前記ディスク駆動ユニットを前記ディスクテーブルの略中心軸方向へ移動させるカムスライダーとを備え、前記ディスク駆動ユニットに前記スピンドルモーター及び前記ディスクテーブルを有し前記ベース面部に対向して位置されるモーターユニットを設け、前記ディスク駆動ユニットに前記カムスライダーのカム溝に摺動自在に係合されるカムピンを設け、前記ベース面部と前記モーターユニットの互いに対向する一方の位置に吸着用マグネットを配置し他方の位置に前記吸着用マグネットに吸着される磁性体を配置したことを特徴とする。
【００２８】
従って、吸着用マグネットによってディスク駆動ユニットがディスク状記録媒体の搬送経路から遠去かる方向へ付勢されるため、ディスク状記録媒体とディスクテーブルの間に十分な距離が確保され、搬送中のディスク状記録媒体がディスクテーブルに衝突せずディスク状記録媒体やディスクテーブルの破損や傷付きを防止することができ、チャッキング動作の適正化を図ると共に薄型化を図ることができる。
【００２９】
さらに、本発明ディスクドライブ装置は、前記スピンドルモーターの内部に配置された駆動用マグネットから外部へ漏れる漏れ磁束を発生させて前記駆動用マグネットを前記吸着用マグネットとして用い、前記ベース面部に、前記漏れ磁束によって前記駆動用マグネットに吸着される磁性体を配置したので、ディスク駆動ユニットをディスク状記録媒体の搬送経路から遠去かる方向へ付勢するための専用のマグネットを必要とせず、部品点数の削減を図ることができる。
【００３０】
あるいは、本発明ディスクドライブ装置は、前記ベース面部における前記モーターユニットに対向する位置に磁性体を配置し、前記モーターユニットにおける磁性体に対向する位置に吸着用マグネットを配置し、前記モーターユニットにおける吸着用マグネットが配置される部分をマグネット配置部として設け、前記マグネット配置部を磁性材料によって形成し、前記マグネット配置部にマグネット配置孔を形成し、前記吸着用マグネットを前記マグネット配置孔に挿入される挿入部と該挿入部の一端部から外方へ張り出されたフランジ部とによって構成し、前記フランジ部がマグネット配置部を挟んで前記磁性体の反対側に位置される状態で前記吸着用マグネットを前記マグネット配置部に配置するようにしたので、吸着用マグネットがモーターユニットのマグネット配置部に磁力によって固定されると共に吸着用マグネットが磁性体側に引き寄せられるため、吸着用マグネットをモーターユニットに接着等によって固定することなく吸着用マグネットのモーターユニットからの脱落を回避することができる。
【００３１】
本発明電子機器は、ディスク状記録媒体に対して情報信号の記録若しくは再生又はこれらの双方を行うディスクドライブ装置を備えた電子機器であって、ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスクテーブルの略中心軸方向へ移動可能とされたディスク駆動ユニットと、前記スピンドルモーターを挟んでディスクテーブルの反対側においてディスク駆動ユニットに対向して位置されたベース面部と、カム溝を有し所定の方向へ移動されて前記ディスク駆動ユニットを前記ディスクテーブルの略中心軸方向へ移動させるカムスライダーとを備え、前記ディスク駆動ユニットに前記スピンドルモーター及び前記ディスクテーブルを有し前記ベース面部に対向して位置されるモーターユニットを設け、前記ディスク駆動ユニットに前記カムスライダーのカム溝に摺動自在に係合されるカムピンを設け、前記ベース面部と前記モーターユニットの互いに対向する一方の位置に吸着用マグネットを配置し他方の位置に前記吸着用マグネットに吸着される磁性体を配置したことを特徴とする。そして、さらに、前記スピンドルモーターの内部に配置された駆動用マグネットから外部へ漏れる漏れ磁束を発生させて前記駆動用マグネットを前記吸着用マグネットとして用い、前記ベース面部に、前記漏れ磁束によって前記駆動用マグネットに吸着される磁性体を配置したことを特徴とする。あるいは、前記ベース面部における前記モーターユニットに対向する位置に磁性体を配置し、前記モーターユニットにおける磁性体に対向する位置に吸着用マグネットを配置し、前記モーターユニットにおける吸着用マグネットが配置される部分をマグネット配置部として設け、前記マグネット配置部を磁性材料によって形成し、前記マグネット配置部にマグネット配置孔を形成し、前記吸着用マグネットを前記マグネット配置孔に挿入される挿入部と該挿入部の一端部から外方へ張り出されたフランジ部とによって構成し、前記フランジ部がマグネット配置部を挟んで前記磁性体の反対側に位置される状態で前記吸着用マグネットを前記マグネット配置部に配置したことを特徴とする。
【００３２】
従って、吸着用マグネットによってディスク駆動ユニットがディスク状記録媒体の搬送経路から遠去かる方向へ付勢されるため、ディスク状記録媒体とディスクテーブルの間に十分な距離が確保され、搬送中のディスク状記録媒体がディスクテーブルに衝突せずディスク状記録媒体やディスクテーブルの破損や傷付きを防止することができ、チャッキング動作の適正化を図ると共に薄型化を図ることができる。
【発明を実施するための最良の形態】
【００３３】
以下に、本発明ディスクドライブ装置及び電子機器の最良の形態を添付図面に従って説明する。以下に示した最良の形態は、本発明電子機器をパーソナルコンピューターに適用し、本発明ディスクドライブ装置をこのパーソナルコンピューターに備えられたディスクドライブ装置に適用したものである。
【００３４】
尚、本発明電子機器及びディスクドライブ装置の適用範囲は、パーソナルコンピューター及びこれに備えられたディスクドライブ装置に限られることはなく、本発明電子機器は、ディスク状記録媒体を扱う各種の電子機器、例えば、ゲーム機器、ＰＤＡ（Personal Digital Assistant）等の情報端末装置、スチルカメラや電子カメラやビデオカメラ等の撮像装置、各種のディスク状記録媒体を扱う記録用の機器や音響機器等に広く適用することができ、本発明ディスクドライブ装置は、これらの各種の電子機器において扱われるディスク状記録媒体について情報信号の記録若しくは再生又はこれらの双方を行うディスクドライブ装置に広く適用することができる。
【００３５】
電子機器（パーソナルコンピューター）１は、例えば、図１に示すように、装置本体２と該装置本体２に回動自在に支持されたディスプレイ装置３とを備えた所謂ノートブック型のパーソナルコンピューターであり、装置本体２に所要の操作キーが配置されたキーボード４が設けられている。尚、電子機器１は、例えば、装置本体とキーボード装置が別体で設けられた所謂デスクトップ型のパーソナルコンピューターであってもよい。
【００３６】
ディスプレイ装置３にはディスクドライブ装置５が内蔵されている。
【００３７】
尚、以下のディスクドライブ装置５の説明においては、説明の便宜上、後述するディスク挿入口側を右方としディスク挿入口に対するディスク状記録媒体の挿入方向を左方とし、ディスクドライブ装置５が、図１に示すように、縦置きとされた状態において、上下前後左右の向きを規定する。即ち、ディスク状記録媒体１００の挿脱方向が左右方向となり、ディスク状記録媒体１００の厚み方向が前後方向となる。
【００３８】
ディスクドライブ装置５は扁平な略矩形状に形成され、外筐６内に所要の各部が配置されて成る（図２参照）。外筐６は右方及び前方に開口された浅い箱状を為すケース体７と該ケース体７を前方から閉塞するカバー体８とケース体７の右端に取り付けられたフロントパネル９とから成る。
【００３９】
カバー体８の中央部には挿入孔８ａが形成されている。
【００４０】
フロントパネル９にはディスク挿入口９ａが形成され、該ディスク挿入口９ａはディスク状記録媒体１００の形状に対応して上下に長い形状に形成されている。ディスク挿入口９ａは図示しないシャッターによって開閉される。
【００４１】
ケース体７は前後方向を向くベース面部１０と該ベース面部１０の外周縁から前方へ突出された周面部１１とから成る（図３参照）。
【００４２】
ケース体７の内部には第１のカムスライダー１２が左右方向へ移動自在に支持されている。第１のカムスライダー１２にはカム溝１３が形成されている。カム溝１３は、左右に延びる第１の直線部１３ａと、該第１の直線部１３ａの左端から左斜め前方へ延びる傾斜部１３ｂと、該第１の傾斜部１３ｂの左端に連続し左右に延びる第２の直線部１３ｃとから成る。
【００４３】
第１のカムスライダー１２はケース体７の内部に配置された図示しない駆動モーターの駆動力によって左右方向へ移動される。
【００４４】
ケース体７の内部には第２のカムスライダー１４が上下方向へ移動自在に支持されている。第２のカムスライダー１４にはカム溝１５、１５が上下に離隔して形成されている。カム溝１５は、上下に延びる第１の直線部１５ａと、該第１の直線部１５ａの下端から下斜め前方へ延びる傾斜部１５ｂと、該第１の傾斜部１５ｂの下端に連続し上下に延びる第２の直線部１５ｃとから成る。
【００４５】
第１のカムスライダー１２と第２のカムスライダー１４は図示しない連結レバーによって連結され、駆動モーターの駆動力によって同期してそれぞれ左右方向と上下方向へ移動される。従って、第１のカムスライダー１２が右方へ移動されるときには第２のカムスライダー１４が上方へ同期して移動され、第１のカムスライダー１４が左方へ移動されるときには第２のカムスライダー１４が下方へ同期して移動される。
【００４６】
ケース体７の内部には、ディスク駆動ユニット１６が略前後方向へ移動可能に支持されている。
【００４７】
ディスク駆動ユニット１６は、図３乃至図５に示すように、ピックアップベース１７と該ピックアップベース１７にディスク状記録媒体１００の半径方向へ移動自在に支持された光ピックアップ１８とピックアップベース１７に取り付けられたモーターユニット１９とを有している。
【００４８】
ピックアップベース１７には前後に貫通された配置孔１７ａが形成されている。
【００４９】
ピックアップベース１７の外周面における右端部には、下方へ突出された被支持軸１７ｂが設けられている。被支持軸１７ｂはケース体７の周面部１１に支持され、ディスク駆動ユニット１６が略前後方向へ移動するようにケース体７に対して回動可能とされている。
【００５０】
ピックアップベース１７の外周面からはカムピン２０、２１、２１が突出されている。カムピン２０は上方へ向けて突出され、カムピン２１、２１は上下に離隔して位置され左方へ向けて突出されている。カムピン２０は第１のカムスライダー１２のカム溝１３に摺動自在に係合され、カムピン２１、２１はそれぞれ第２のカムスライダー１４のカム溝１５、１５に摺動自在に係合されている。
【００５１】
モーターユニット１９はモーター取付板２２と該モーター取付板２２上に取り付けられたスピンドルモーター２３と該スピンドルモーター２３のモーター軸に固定されたディスクテーブル２４とを有している。モーター取付板２２は磁性金属材料によって形成され、磁性体２２Ａとして設けられている。モーター取付板２２は前後方向を向く向きでピックアップベース１７の後面に取り付けられている。
【００５２】
モーター取付板２２がピックアップベース１７の後面に取り付けられた状態においては、配置孔１７ａからディスクテーブル２４が前方へ突出されている。
【００５３】
ディスクテーブル２４は中央部にセンターリング突部２４ａを有し、該センターリング突部２４ａの外周側にディスク状記録媒体１００が載置されるテーブル部２４ｂが設けられている。センターリング突部２４ａの前端部における外周部には、周方向に離隔して係合爪２４ｃ、２４ｃ、２４ｃが設けられている。係合爪２４ｃ、２４ｃ、２４ｃはセンターリング突部２４ａの中心に離接する方向へ弾性変形可能とされている。
【００５４】
カバー体７のベース面部１０の前面には、モーター取付板２２に対向する部分に吸着用マグネット２５が取り付けられている（図３参照）。従って、磁性体２２Ａとして設けられたモーター取付板２２は吸着用マグネット２５によって吸着され、モーター取付板２２を含むディスク駆動ユニット１６の全体が後方へ付勢される。
【００５５】
このように吸着用マグネット２５によってディスク駆動ユニット１６が後方へ付勢されているため、図６及び図７に示すように、ディスク駆動ユニット１６に設けられたカムピン２０、２１、２１は、それぞれ第１のカムスライダー１２と第２のカムスライダー１４のカム溝１３、１５、１５の後面に押し付けられた状態とされている。従って、第１のカムスライダー１２及び第２のカムスライダー１４の移動時には、カムピン２０、２１、２１がカム溝１３、１５、１５の後面に押し付けられた状態でカム溝１３、１５、１５を相対的に移動される。
【００５６】
上記のように構成されたディスクドライブ装置５において、ディスク状記録媒体１００がフロントパネル９のディスク挿入口９ａから手動により挿入されると、ディスク状記録媒体１００は図示しない搬送機構に保持され該搬送機構によって中心孔１００ａがディスクテーブル２４のセンターリング突部２４ａの真上に位置するセンターリング位置まで搬送されて停止される。
【００５７】
このとき、上記したように、吸着用マグネット２５によってディスク駆動ユニット１６が後方へ付勢されているため、図８に示すように、ディスクテーブル２４はディスク状記録媒体１００の搬送経路に対して最も遠距離の位置に存在しディスク状記録媒体１００とディスクテーブル２４の先端面（前面）との間に十分な間隔（間隔Ｈ）が形成されている。従って、ディスク状記録媒体１００はディスクテーブル２４と衝突することなくセンターリング位置まで搬送される。
【００５８】
ディスク状記録媒体１００がセンターリング位置まで搬送されると、駆動モーターが起動され該駆動モーターの駆動力によって第１のカムスライダー１２が右方へ移動されると共に第２のカムスライダー１４が上方へ移動される。
【００５９】
第１のカムスライダー１２と第２のカムスライダー１４が移動されると、カムピン２０、２１、２１がそれぞれカム溝１３、１５、１５の第１の直線部１３ａ、１５ａ、１５ａから傾斜部１３ｂ、１５ｂ、１５ｂを経て第２の直線部１３ｃ、１５ｃ、１５ｃまで相対的に移動され、ディスクテーブル２４が略前方へ移動される方向へディスク駆動ユニット１６が回動される。
【００６０】
ディスクテーブル２４が略前方へ移動される方向へディスク駆動ユニット１６が回動されると、ディスクテーブル２４のセンターリング突部２４ａがディスク状記録媒体１００の中心孔１００ａに嵌合され、このとき係合爪２４ｃ、２４ｃ、２４ｃが一旦センターリング突部２４ａの中心側に弾性変形された後に弾性復帰してディスク状記録媒体１００の中心孔１００ａにおける開口縁に係合される。従って、ディスク状記録媒体１００は係合爪２４ｃ、２４ｃ、２４ｃに保持されることにより、ディスクテーブル２４に装着（チャッキング）される。
【００６１】
尚、センターリング突部２４ａのディスク状記録媒体１００の中心孔１００ａへの嵌合は、ディスクテーブル２４の略前方への移動によってディスク状記録媒体１００の一部がカバー体８に押し付けられことにより行われる。
【００６２】
ディスク状記録媒体１００がディスクテーブル２４に装着されると、駆動モーターが反転され、第１のカムスライダー１２が左方へ移動されると共に第２のカムスライダー１４が下方へ移動される。第１のカムスライダー１２と第２のカムスライダー１４が移動されると、カムピン２０、２１、２１がそれぞれカム溝１３、１５、１５の第２の直線部１３ｃ、１５ｃ、１５ｃから第１の直線部１３ａ、１５ａ、１５ａへ向けて相対的に移動され、ディスクテーブル２４が略後方へ移動される方向へディスク駆動ユニット１６が回動される。
【００６３】
カムピン２０、２１、２１がカム溝１３、１５、１５の所定の位置まで相対的に移動されると、駆動モーターが停止される。駆動モーターが停止されると、搬送機構によるディスク状記録媒体１００の保持が解除され、ディスク状記録媒体１００はスピンドルモーター７７の回転によるディスクテーブル２４の回転に伴って回転され、光ピックアップ１８の駆動によりディスク状記録媒体１００に対する情報信号の記録又は再生が行われる。
【００６４】
ディスク状記録媒体１００に対する情報信号の記録又は再生が終了すると、図示しないイジェクト釦に対する使用者の操作により、駆動モーターの回転が再び開始される。
【００６５】
駆動モーターが回転されると、第１のカムスライダー１２が左方へ移動されると共に第２のカムスライダー１４が下方へ移動され、ディスク状記録媒体１００が装着されたディスクテーブル２４が略後方へ移動される方向へディスク駆動ユニット１６が回動される。このときディスク状記録媒体１００は再び搬送機構によって保持される。
【００６６】
ディスク駆動ユニット１６が回動されると、ディスクテーブル２４の略後方への移動により搬送機構に保持されているディスク状記録媒体１００の中心孔１００ａからディスクテーブル２４のセンターリング突部２４ａが引き出されてディスク状記録媒体１００のディスクテーブル２４に対する装着が解除される。
【００６７】
ディスク駆動ユニット１６は、第１のカムスライダー１２と第２のカムスライダー１４の移動に伴ってカムピン２０、２１、２１がそれぞれカム溝１３、１５、１５の第１の直線部１３ａ、１５ａ、１５ａに係合されるまで回動され、ディスクテーブル２４が後方の移動端に位置される。
【００６８】
このとき、上記したように、磁性体２２Ａとして設けられたモーター取付板２２は吸着用マグネット２５によって吸着されているため、ディスク駆動ユニット１６の全体が後方へ付勢され、カムピン２０、２１、２１がそれぞれカム溝１３、１５、１５の第１の直線部１３ａ、１５ａ、１５ａにおける後面に押し付けられた状態とされている。従って、ディスクテーブル２４はディスク状記録媒体１００の搬送経路に対して最も遠距離の位置に存在しディスク状記録媒体１００とディスクテーブル２４の先端面との間に十分な間隔Ｈ（図８参照）が形成されている。
【００６９】
ディスク状記録媒体１００は搬送機構によってセンターリング位置から右方へ向けて搬送され、一部がフロントパネル９のディスク挿入口９ａから右方へ突出される。従って、使用者は、ディスク挿入口９ａから突出した部分を把持してディスク状記録媒体１００をディスクドライブ装置５から取り出すことができる。
【００７０】
上記したように、ディスクテーブル２４がディスク状記録媒体１００の搬送経路に対して最も遠距離の位置に存在しているため、ディスク状記録媒体１００がセンターリング位置から右方へ向けて搬送されるときにも、ディスク状記録媒体１００がディスクテーブル２４と衝突することがない。
【００７１】
上記には、モーター取付板２２を磁性体２２Ａとして設け、ケース体７のベース面部１０における磁性体２２Ａに対向する位置に吸着用マグネット２５を配置した例を示したが、逆に、モーター取付板２２に吸着用マグネット２５Ａを取り付け、ベース面部１０を磁性体１０Ａとして設ける構成とすることもできる。
【００７２】
この場合には、例えば、図９に示すように、モーター取付板２２の一部を吸着用マグネット２５Ａが配置されるマグネット配置部２２ａとして設け、該マグネット配置部２２ａにマグネット配置孔２６を形成して吸着用マグネット２５Ａを配置することが可能である。
【００７３】
吸着用マグネット２５Ａは、マグネット配置孔２６に挿入される挿入部２５ａと該挿入部２５ａの前端部から外方へ張り出されたフランジ部２５ｂとによって構成されている。吸着用マグネット２５Ａは挿入部２５ａがマグネット配置孔２６に挿入された状態において、フランジ部２５ｂがマグネット配置部２２ａの前面に接した状態で配置される。
【００７４】
このように吸着用マグネット２５Ａを挿入部２５ａとフランジ部２５ｂによって構成し挿入部２５ａをマグネット配置孔２６に磁性体１０Ａの反対側から挿入することにより、吸着用マグネット２５Ａが磁性体１０Ａに引き寄せられるため、吸着用マグネット２５Ａをモーター取付板２２に接着等によって固定することなく、吸着用マグネット２５Ａのモーター取付板２２からの脱落を防止することができる。
【００７５】
また、この場合には、モーター取付板２２を磁性材料によって形成することが望ましい。モーター取付板２２を磁性材料によって形成することにより、吸着用マグネット２５Ａがモーター取付板２２に磁力によって固定され、吸着用マグネット２５Ａのモーター取付板２２からの脱落を回避することができる。
【００７６】
尚、上記には、カバー体７のベース面部１０又はモーター取付板２２に吸着用マグネット２５又は吸着用マグネット２５Ａを配置してディスク駆動ユニット１６を一方へ付勢する例を示したが、以下のように、スピンドルモーター２３の内部に配置されている駆動用マグネットを用いてディスク駆動ユニット１６を一方へ付勢することができる（図１０参照）。
【００７７】
スピンドルモーター２３の内部には、例えば、円環状の駆動用マグネット２５Ｂが配置され、該駆動用マグネット２５Ｂが吸着用マグネットとして用いられる。駆動用マグネット２５Ｂは、例えば、Ｎ極とＳ極が周方向に交互に隣接して形成され、ローター又はステーターとして用いられている。
【００７８】
スピンドルモーター２３においては、駆動用マグネット２５Ｂからの漏れ磁束Ｊ、Ｊ、・・・が発生するようにされている。漏れ磁束Ｊ、Ｊ、・・・は、例えば、スピンドルモーター２３の外筐の一部に孔を形成することにより発生する。
【００７９】
カバー体７のベース面部１０は磁性体１０Ａとして設けられている。
【００８０】
上記のように、スピンドルモーター２３の駆動用マグネット２５Ｂから漏れ磁束Ｊ、Ｊ、・・・を発生させ、ベース面部１０を磁性体１０Ａとして設けることにより、ベース面部１０側にディスク駆動ユニット１６が引き寄せられる。
【００８１】
漏れ磁束Ｊ、Ｊ、・・・を利用してディスク駆動ユニット１６を一方に付勢することにより、ディスク駆動ユニット１６を付勢するための専用のマグネットを必要とせず、部品点数の削減を図ることができる。
【００８２】
以上に記載した通り、ディスクドライブ装置５にあっては、吸着用マグネット２５、２５Ａ又は駆動用マグネット２５Ｂを用いてディスク駆動ユニット１６をディスク状記録媒体１００の搬送経路から遠去かる方向へ付勢するようにしているため、ディスク状記録媒体１００とディスクテーブル２４の間に十分な距離が確保され、搬送中のディスク状記録媒体１００がディスクテーブル２４に衝突せずディスク状記録媒体１００やディスクテーブル２４の破損や傷付きを防止することができ、チャッキング動作の適正化を図ると共に薄型化を図ることができる。
【００８３】
尚、上記には、モーターユニット１９においては、モーター取付板２２を磁性体２２Ａとした例を示したが、モーターユニット１９において磁性体とされるのはモーター取付板２２に限られることはなく、モーターユニット１９を構成する他の部分であってもよい。
【００８４】
また、ディスク駆動ユニット１６において、モーターユニット１９以外の他の部分を磁性体として吸着用マグネット２５に吸着される構成とすることも可能である。
【００８５】
さらに、ディスク駆動ユニット１６において、モーター取付板２２以外の部分に吸着用マグネット２５又は吸着用マグネット２５Ａを配置し、これに対向する部分を磁性体として設けることも可能である。
【００８６】
上記には、ディスクドライブ装置の例として、ディスク状記録媒体１００がディスクテーブル２４に設けられた弾性変形可能な係合爪２４ｃ、２４ｃ、２４ｃによって保持されてチャッキングされるタイプを示したが、本発明は、ディスク状記録媒体１００がディスクテーブルと該ディスクテーブルに対向して位置するクランパーによって挟持されてチャッキングされるタイプにおいても適用することが可能である。
【００８７】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８８】
【図１】図２乃至図１０と共に本発明を実施するための最良の形態を示すものであり、本図は電子機器の斜視図である。
【図２】ディスクドライブ装置とディスク状記録媒体を示す斜視図である。
【図３】ディスクドライブ装置を一部を省略して示す概略分解斜視図である。
【図４】ディスクドライブ装置を一部を省略して示す概略斜視図である。
【図５】ディスク駆動ユニットを示す概略拡大分解斜視図である。
【図６】第１のカムスライダーの拡大側面図である。
【図７】第２のカムスライダーの拡大側面図である。
【図８】ディスク駆動ユニットがディスク状記録媒体の搬送経路から遠去かる方向へ付勢されている状態を示す概略側面図である。
【図９】モーター取付板に吸着用マグネットが配置された例を示す概念図である。
【図１０】スピンドルモーターの駆動用マグネットを吸着用マグネットとして用いた例を示す概念図である。
【符号の説明】
【００８９】
１００…ディスク状記録媒体、１…電子機器、５…ディスクドライブ装置、１０…ベース面部、１２…第１のカムスライダー、１３…カム溝、１４…第２のカムスライダー、１５…カム溝、１６…ディスク駆動ユニット、１７…ピックアップベース、１８…光ピックアップ、１９…モーターユニット、２０…カムピン、２１…カムピン、２２Ａ…磁性体、２３…スピンドルモーター、２４…ディスクテーブル、２５…吸着用マグネット、１０Ａ…磁性体、２５Ａ…吸着用マグネット、２５ａ…挿入部、２５ｂ…フランジ部、２２ａ…マグネット配置部、２６…マグネット配置孔、２５Ｂ…駆動用マグネット
【図１】
0005042062.tif 000002
【図２】
0005042062.tif 000003
【図３】
0005042062.tif 000004
【図４】
0005042062.tif 000005
【図５】
0005042062.tif 000006
【図６】
0005042062.tif 000007
【図７】
0005042062.tif 000008
【図８】
0005042062.tif 000009
【図９】
0005042062.tif 000010
【図１０】
0005042062.tif 000011